(57)【要約】【課題】  遊技盤の樹脂材料の使用量を低減する。【解決手段】  遊技釘２０は、前面板３１と背面板３２との２部材に嵌着され、確実に保持されるから、前面板３１と背面板３２との間の空間分だけ合成樹脂材料がいらなくなる。樹脂材料の使用量を低減でき、遊技盤１の重量も低減できる。前面板３１及び背面板３２に設けられた下穴３４、３５は、遊技釘２０の軸が前面板３１及び背面板３２と交差する位置の上下差に対応して上下方向にずれて設けられるので、その下穴３４、３５に遊技釘２０を嵌着することで仰角を与えることができる。【選択図】  図３
2006223466.tif 000002
【特許請求の範囲】
【請求項１】
弾球遊技機の遊技盤において、
該遊技盤は、互いの間に空間を挟んで平行配置された合成樹脂製の前面板と合成樹脂製の背面板とを備え、
前記遊技盤の表面を鉛直方向に沿わせたときに仰角となる角度で、前記前面板を貫通して前記背面板に達する遊技釘が嵌着されており、
前記前面板及び前記背面板には前記遊技釘を嵌着するための下穴が設けられているが、同じ１本の前記遊技釘用の前記下穴は、該遊技釘の軸が前記前面板及び前記背面板と交差する位置の上下差に対応して上下方向にずれて設けられる
ことを特徴とする遊技盤。
【請求項２】
請求項１記載の遊技盤において、
前記前面板及び前記背面板の外周に沿って配されて前記前面板及び前記背面板と一体化された周縁部材を備える
ことを特徴とする遊技盤。
【発明の詳細な説明】
【技術分野】
【０００１】
本発明は、弾球遊技機の技術分野に属し、詳しくは弾球遊技機に装着される遊技盤に関する。
【背景技術】
【０００２】
弾球遊技機の遊技盤は合板製が主流であるが、これを合成樹脂製にすることがある。例えば特開平１１−９９２４４号公報（特許文献１）には、射出成形による遊技盤が開示されている。また、特開平１０−１７９８５４号公報（特許文献２）には、透光性の合成樹脂で製造された遊技盤が開示されている。
【特許文献１】特開平１１−９９２４４号公報
【特許文献２】特開平１０−１７９８５４号公報
【発明の開示】
【発明が解決しようとする課題】
【０００３】
遊技盤には遊技球の進路を複雑化するために、金属製（例えば真ちゅう製）の遊技釘（障害釘）が立設されるのが普通である。このため、遊技盤は遊技釘を確実に保持できるだけの板厚が要求される。従って、遊技盤を合成樹脂製にしたときには、その重量は板厚に応じて比較的大きな重量になっていた。
【０００４】
また、遊技盤の表面（遊技者に対面する面）に対して垂直ではなくて４度前後の仰角が与えられている。
ベニヤやぶな合板製の遊技盤の場合は、約４度上向きに打ち付ければよいのでなんら問題はない。
【０００５】
しかし、合成樹脂製の遊技盤では、合板製のものと同様に遊技釘を打ち込もうとすれば遊技盤にひびが入ったり割れたりするので、予め上記の仰角になる角度で下穴を設けておいて、この下穴に遊技釘を圧入する手法が取られていた。
【課題を解決するための手段】
【０００６】
請求項１記載の遊技盤は、
弾球遊技機の遊技盤において、
該遊技盤は、互いの間に空間を挟んで平行配置された合成樹脂製の前面板と合成樹脂製の背面板とを備え、
前記遊技盤の表面を鉛直方向に沿わせたときに仰角となる角度で、前記前面板を貫通して前記背面板に達する遊技釘が嵌着されており、
前記前面板及び前記背面板には前記遊技釘を嵌着するための下穴が設けられているが、同じ１本の前記遊技釘用の前記下穴は、該遊技釘の軸が前記前面板及び前記背面板と交差する位置の上下差に対応して上下方向にずれて設けられる
ことを特徴とする。
【０００７】
この遊技盤では、合成樹脂製の前面板と合成樹脂製の背面板とが、互いの間に空間を挟んで平行配置され、遊技釘は前面板を貫通して背面板に達するまで嵌着させられている。遊技釘は、前面板と背面板との２部材に嵌着されることになり、確実に保持される。このため、前面板と背面板との間の空間分だけ合成樹脂材料がいらなくなるので、樹脂材料の使用量を低減でき、遊技盤の重量も低減できる。
【０００８】
前面板及び背面板には遊技釘を嵌着するための下穴が設けられているが、同じ１本の遊技釘用の下穴は、この遊技釘の軸が前面板及び背面板と交差する位置の上下差に対応して上下方向にずれて設けられるので、その下穴に遊技釘を嵌着することで仰角を与えることができる。なお、「遊技釘の軸が前面板及び背面板と交差する位置」は、例えば前面板及び背面板の前面同士、背面同士或いは中心面同士というように相互に対応させてあればよい。
【０００９】
下穴の上記上下方向のずれは、前面板と背面板との距離及び仰角の大きさによって変化するものの、実際のところは１ｍｍに満たない程度である。また、前面板及び背面板の板厚は、それぞれ３〜５ｍｍ程度にできる。この程度の範囲なら、遊技釘用の下穴が前面板又は背面板の表面に対して垂直に設けてあっても、遊技釘の剛性が下穴を変形させるので、遊技釘が曲がるおそれはない。つまり、下穴を仰角に合わせて傾斜させる必要はない（勿論、傾斜させて設けてもよい。）。
【００１０】
なお、仰角に関する記述で「前記遊技盤の表面を鉛直方向に沿わせたとき」というのは、遊技盤が使用されている状態での遊技盤の姿勢（上下関係）を前提としており、同様に「同じ１本の前記遊技釘用の前記下穴は、・・・上下差に対応して上下方向にずれ」の上下も遊技盤が使用されている状態での上下である。
【００１１】
前面板と背面板とを平行配置するには、請求項２記載のように、前記前面板及び前記背面板の外周に沿って配されて前記前面板及び前記背面板と一体化された周縁部材を備えて、この周縁部材にて前面板と背面板の間隔を保持し、また周縁部材を介して前面板と背面板とを一連にすればよい。
【００１２】
周縁部材は前面板及び背面板の全周にわたって壁状に設けられてもよいし、とびとびに設けてもよい。また、外周部分以外に（つまり中心よりの部分に）、周縁部材と共同して上記間隔を保持するリブやボス等を配してもよい。
【発明を実施するための最良の形態】
【００１３】
次に、本発明の実施例等により発明の実施の形態を説明する。なお、本発明は下記の実施例等に限定されるものではなく、本発明の要旨を逸脱しない範囲でさまざまに実施できることは言うまでもない。
［実施例］
本実施例の遊技盤１はパチンコ機用であり、図１に示すとおり、一部に切欠があるものの、ほぼ長方形をしている。この遊技盤１にはレールピン２１によって略円弧状のガイドレール２ａ、２ｂが取り付けられており、ガイドレール２ａ、２ｂによって囲まれた略円形の区画内が遊技領域４とされる。なお、ガイドレール２ａ、２ｂの先端間の切れ目部分は返しゴム（図示略）にて閉じられる。
【００１４】
遊技領域４の最下部には、遊技領域４を通過してきた遊技球をアウト球として排出するためのアウト穴５が設けられており、ガイドレール２ｂには遊技球をアウト穴５に誘導するための凹み２ｃが設けられている。
【００１５】
そのアウト穴５の上方には、開閉板６ａによって開閉されるアタッカー式の大入賞口６が配されている。また、大入賞口６の左右斜め上には、それぞれ普通入賞口７、８が配されている。これら大入賞口６及び普通入賞口７、８は共通のベース板９に組み付けられて入賞口ユニット１０とされ、ビス１１にて遊技盤１に取り付けられている。本実施例では入賞口ユニット１０を採用しているが、大入賞口６、普通入賞口７、８をそれぞれ別々に遊技盤１に取り付けることもできる。
【００１６】
大入賞口６の上方には電動チューリップ式の可変入賞装置１２と始動入賞口１３とを備える複合入賞装置１４が設置されている。
図示するところから明らかなように、可変入賞装置１２が閉鎖状態（図示の状態）にあるときには、始動入賞口１３によって可変入賞装置１２への入賞を阻まれる（可変入賞装置１２へは、開放時しか入賞できない）。この可変入賞装置１２は、その左右に配されている通過口１５に遊技球が進入したことに起因する抽選で当たりになると開放される。
【００１７】
一方、始動入賞口１３に入賞した場合には大当たり抽選が行われ、これに応じて遊技盤１の背後に配されている表示装置（図示は省略。図１には表示装置の画面の輪郭に対応する透視域１６を示してある。）にて図柄の変動表示がなされる。大当たり抽選が当たりであれば、図柄の変動表示に続いて表示装置にて大当たりを示す表示が行われる。その大当たり表示がなされると大当たり遊技の開始となって、大入賞口６が開放される。なお、この表示装置は演出表示用であり、大当たり抽選の結果は図示省略の７セグメントＬＥＤによって表示されるが、表示装置の表示だけでも大当たりか否かを判別できる。
【００１８】
表示装置は遊技盤１と一体化されているわけでないが（遊技盤１の一部ではないが）、遊技盤１には透視域１６の上辺に対応するようにしてガード庇１７が取り付けられ、同下辺に対応するようにしてステージ１８が取り付けられている。また、ステージ１８の左右には風車１９が配されている。
【００１９】
ガード庇１７は、上方からの遊技球が透視域１６（表示装置の画面の前方）に進入するのを防止するために（遊技球が画面の前方を通って視認性を阻害するのを防止するために）設置されている。
【００２０】
また、ガード庇１７及びステージ１８は、正確にではないが透視域１６すなわち表示装置の画面の上下限界を、風車１９は左右限界を遊技者に示す働きもする。
図示するとおり、遊技領域４には多数の遊技釘２０が植設されている。
【００２１】
遊技領域４の中央上部（ガード庇１７の上方）にはいわゆる天釘として、普通入賞口７、８、始動入賞口１３及び通過口１５の直上にはいわゆる命釘として、それぞれ遊技釘２０が配置されている。また、左右の風車１９及びステージ１８の下方においては、遊技球を複合入賞装置１４又は通過口１５へと誘導するように、列状の遊技釘２０が配置されている。その他、配置密度に差があるものの、適宜に遊技釘２０が配されている。但し、透視域１６（表示装置の画面の前方）には実質的に遊技釘２０は存在しないので、遊技釘２０によって画面の視認性が損なわれることはない。
【００２２】
図２に示すように、遊技盤１は前面板３１と背面板３２との２層構造をしている。前面板３１の背面の外周部には周壁リブ３３（周縁部材に該当）が連設されており、この周壁リブ３３と背面板３２とを透明接着剤で接着することにより、図示の通りの一体構造にしてある。
【００２３】
前面板３１（周壁リブ３３を含む）は透明な合成樹脂（本実施例ではポリカーボネート）製であり、前面板３１の肉厚は３ｍｍ、周壁リブ３３の立ち上がり高さは５ｍｍである。
【００２４】
背面板３２は透明な合成樹脂（本実施例ではポリカーボネート）の射出成形品である。
上述の遊技領域４は前面板３１の面上に形成されており、遊技釘２０及び風車１９の軸釘（遊技釘２０と同様であるので図示略）が前面板３１及び背面板３２に打ち付けられている。但し、図示する通り、遊技釘２０及び風車１９の軸釘には仰角があり、この仰角は本実施例では４度に設定されている。
【００２５】
ガイドレール２ａ、２ｂも同じく前面板３１及び背面板３２に打ち付けられたレールピン２１により遊技盤１に取り付けられている。
なお、図２には遊技釘２０及びレールピン２１を、それぞれ１本だけ図示している。
【００２６】
図３に詳細を示すように、前面板３１及び背面板３２には、それぞれ下穴３４、３５が設けられており、遊技釘２０及び風車１９の軸釘（以下、まとめて遊技釘２０等）は、これらの下穴３４、３５に嵌着されている。
【００２７】
上述したように、遊技釘２０等には４度の仰角があるが、下穴３４、３５の軸は前面板３１及び背面板３２の表面に対して傾斜しているわけでなく、各々表面に対して垂直に設けられている。
【００２８】
このような下穴３４、３５を用いていながら遊技釘２０等に仰角を与えることができるのは、図３（ａ）に示すとおり、同じ１本の遊技釘２０等用の下穴３４、３５の位置が、遊技釘２０等の軸Ｃが前面板３１及び背面板３２と交差する位置（（ｄ）参照）の上下差に対応して上下方向にずれて設けられているためである。なお、図３（ｄ）の場合、軸Ｃが前面板３１の表面及び背面板３２の表面と交差する角度は上記仰角の４度である。
【００２９】
そして、遊技釘２０等は、先端を前面板３１の下穴３４に合わせ（図３（ａ））、この下穴３４に嵌入される（図３（ｂ））。その先端が背面板３２の下穴３５に達すると（図３（ｂ））、錐状の先端がこの下穴３５に進入する（図３（ｃ））。更に、遊技釘２０等を前進させて設定された長さだけ嵌入させると、遊技釘２０等の先端部が背面板３２の下穴３５に嵌着し、中程が前面板３１の下穴３４に嵌着した状態になる（図３（ｄ））。このように、下穴３４、３５の上下方向のずれによって遊技釘２０等には４度の仰角が与えられる。下穴３４、３５の上下方向のずれによって仰角を与える構成であるので、下穴３４、３５と遊技釘２０等との間には応力が生じるが、遊技釘２０等が金属製で、前面板３１及び背面板３２が合成樹脂製であることから、この力は下穴３４、３５を変形（弾性変形又は塑性変形）させることになる。つまり、遊技釘２０等が下穴３４、３５のずれに従って曲がることはなく、その軸Ｃは直線を維持する。
【００３０】
以上の通り、本実施例の遊技盤１は、互いの間に空間を挟んで平行配置された合成樹脂製の前面板３１と合成樹脂製の背面板３２とを備え、遊技盤１の表面を鉛直方向に沿わせたときに仰角となる角度で、前面板３１を貫通して背面板３２に達する遊技釘２０が嵌着されており、前面板３１及び背面板３２には遊技釘２０を嵌着するための下穴３４、３５が設けられているが、同じ１本の遊技釘２０用の下穴３４、３５は、遊技釘２０の軸Ｃが前面板３１及び背面板３２と交差する位置の上下差に対応して上下方向にずれて設けられている。
【００３１】
この遊技盤１では遊技釘２０は、前面板３１と背面板３２との２部材に嵌着されることになり、確実に保持される。このため、前面板３１と背面板３２との間の空間分だけ合成樹脂材料がいらなくなるので、樹脂材料の使用量を低減でき、遊技盤１の重量も低減できる。
【００３２】
前面板３１の背面の外周部に周壁リブ３３（周縁部材）が連設されており、この周壁リブ３３と背面板３２とを透明接着剤で接着してあるので、前面板３１と背面板３２との平行関係（前面板３１と背面板３２の間隔）を確実に保持できる。
【００３３】
前面板３１及び背面板３２には遊技釘２０を嵌着するための下穴３４、３５が設けられているが、同じ１本の遊技釘２０用の下穴３４、３５は、この遊技釘２０の軸が前面板３１及び背面板３２と交差する位置の上下差に対応して上下方向にずれて設けられるので、その下穴３４、３５に遊技釘２０を嵌着することで仰角（実施例では４度）を与えることができる。
【００３４】
下穴３４、３５の上下方向のずれは、前面板３１と背面板３２との距離及び仰角の大きさによって変化するものの、実際にはわずかである。また、前面板３１及び背面板３２の板厚は、それぞれ３〜５ｍｍ程度にできる。この程度の範囲なら、遊技釘２０用の下穴が前面板３１又は背面板３２の表面に対して垂直に設けてあっても、遊技釘２０の剛性が下穴を変形させるので、遊技釘２０が曲がるおそれはない。つまり、下穴３４、３５を仰角に合わせて傾斜させる必要はない。
【図面の簡単な説明】
【００３５】
【図１】実施例の遊技盤の正面図。
【図２】実施例の遊技盤の縦断面図。
【図３】実施例の遊技盤における釘打ちの説明図。
【符号の説明】
【００３６】
１・・・遊技盤、
２ａ、２ｂ・・・ガイドレール、
４・・・遊技領域、
５・・・アウト穴、
６・・・大入賞口、
７、８・・・普通入賞口、
９・・・ベース板、
１０・・・入賞口ユニット、
１１・・・ビス、
１２・・・可変入賞装置、
１３・・・始動入賞口、
１４・・・複合入賞装置、
１５・・・通過口、
１６・・・透視域、
１７・・・ガード庇、
１８・・・ステージ、
１９・・・風車、
２０・・・遊技釘、
２１・・・レールピン、
３１・・・前面板、
３２・・・背面板、
３３・・・周壁リブ、
３４、３５・・・下穴、
Ｃ・・・遊技釘の軸。
【図１】
2006223466.tif 000003
【図２】
2006223466.tif 000004
【図３】
2006223466.tif 000005